【事件の表示】
　特許第3178530号「表示記憶媒体、画像書き込み方法および画像書き込み装置」の請求項1〜9に係る特許に対する特許異議の申立てについて、平成14年11月14日付けの決定に対し、東京高等裁判所における決定の取消の判決(平成14(行ケ)651号、平成15年5月18日判決言渡し)が確定したのでさらに審理した結果、次のとおり決定する。
【結　論】
　特許第3178530号の請求項1〜9に係る特許を維持する。
【理　由】
【1】手続の経緯
　特許第3178530号の請求項1〜9に係る発明は、平成9年11月18日に出願された特許出願(特願平9-317049号)を特許法第44条第1項の規定により新たな特許出願としたものであり、平成13年4月13日にその設定登録がなされ、その後、旭硝子株式会社により特許異議の申立てがなされ、 平成14年11月14日付けで訂正を認め、請求項1〜9に係る特許を取り消す旨の決定がなされたところ、本件の請求人はこれを不服として東京高等裁判所に当該決定の取消を求める訴(14(行ケ)651号)を提起し、平成15年2月10日、本件特許についての訂正の審判を請求し、平成15年3月25日付けで訂正を認める旨の審決がなされ、当該審決が確定し、平成15年5月18日に東京高等裁判所において、前記取消決定を取り消す旨の判決があり確定した。
　
【2】本件特許発明
　本件特許発明は、平成15年3月25日付けの審決(訂正を認める旨の審決)により確定した訂正特許明細書及び図面の記載からみて、その特許請求の範囲に記載されたとおりの、以下のものである。
　なお、本件特許についての前記訂正の審判において、訂正を認める旨の審決が前述のとおり確定したので、平成14年5月7日付けの訂正請求書は取り下げられたものと同様に取り扱う。
　
「【請求項1】 少なくとも一方が透明の一対の基板間に、それぞれ可視光中の互いに異なる色光を選択反射するコレステリック液晶によって構成された複数の表示層が積層され、複数の表示層の外部の画像書き込み装置から前記積層された複数の表示層に電界が印加されることによって画像が書き込まれるとともに、前記複数の表示層の、それぞれのプレーナー相とフォーカルコニック相の相変化のしきい電界強度のうちの最も大きい値Eth1と、前記複数の表示層の、それぞれのフオーカルコニック相とホメオトロピック相の相変化のしきい電界強度のうちの最も小さい値Eth2とが、Eth1＜Eth2の関係を有するように構成し、前記Eth1とEth2の間の電界強度をEa、前記複数の表示層の、それぞれのフォーカルコニック相とホメオトロピック相の相変化のしきい電界強度のうちの最も大きい値以上の電界強度をEbとした場合、前記電界強度Ea,Ebから選定された電界強度となる書き込み信号を前記表示記憶媒体に印加することにより、前記電界の印加後の無電界下では複数の前記コレステリック液晶表示層が前記電界の電界強度に応じて全てプレーナー相の状態または全てフオーカルコニック相の状態のいずれかを選択的に呈するように前記複数の表示層が構成されたことを特徴とする表示記憶媒体。
【請求項2】
　請求項1の表示記憶媒体において、前記複数の表示層が、400〜500nmの波長域にピークを有する色光を選択反射する表示層、500〜600nmの波長域にピークを有する色光を選択反射する表示層、および600〜700nmの波長域にピークを有する色光を選択反射する表示層によって構成されたことを特徴とする表示記憶媒体。
【請求項3】
　請求項1または2の表示記憶媒体において、前記複数の表示層は、それぞれ、コレステリック液晶の連続相中に高分子のネットワークが形成されたPNLC構造であることを特徴とする表示記憶媒体。
【請求項4】
　請求項1または2の表示記憶媒体において、前記複数の表示層は、それぞれ、高分子マトリックス中にコレステリック液晶が分散されたPDLC構造であることを特徴とする表示記憶媒体。
【請求項5】 請求項1〜4のいずれかの表示記憶媒体において、前記複数の表示層のそれぞれが、互いに同じ色光を選択反射し、かつ互いに螺旋ねじれ方向が逆のコレステリック液晶によって構成された2つの表示層からなることを特徴とする表示記憶媒体。
【請求項6】
　請求項1〜5のいずれかの表示記憶媒体において、前記一対の基板が、可とう性を有することを特徴とする表示記憶媒体。
【請求項7】
　請求項1〜6のいずれかの表示記憶媒体において、一方の基板側に共通電極が設けられたことを特徴とする表示記憶媒体。
【請求項8】
　請求項1〜7のいずれかの表示記憶媒体に画像を書き込む方法において、外部の画像書き込み装置から、前記積層された複数の表示層に、少なくとも、セレクト期間と、その後の無電界の表示期間とによって構成され、そのセレクト期間での電界強度Esが、前記複数の表示層のコレステリック液晶を全て同じ相状態に変化させる電界強度となる書き込み信号を印加することを特徴とする画像書き込み方法。
【請求項9】
　請求項1〜7のいずれかの表示記憶媒体に画像を書き込む装置において、表示記憶媒体の外部から、前記積層された複数の表示層に、少なくとも、セレクト期間と、その後の無電界の表示期間とによって構成され、そのセレクト期間での電界強度Esが、前記複数の表示層のコレステリック液晶を全て同じ相状態に変化させる電界強度となる書き込み信号を印加することを特徴とする画像書き込み装置。」
　(以下、請求項順に、「発明1」〜「発明9」という。)
　
【3】異議申立の概要
公知又は先願の刊行物等
　甲第1号証: 特開平7-287214号公報
　甲第2号証: 特開平9-160066号公報
　甲第4号証: 特開平2-084616号公報
　甲第5号証: 特公平7-119920号公報 
　甲第6号証: 特開平9-197381号公報
　甲第7号証: 特許第3147156号掲載公報(本件特許出願の分割の基礎となる特許出願の特許発明)
　
　
理由1:
　
理由2:
　
理由3:
　
【4】刊行物等の記載
刊行物1:特開平9-160066号公報(甲第2号証)
　
段落【0004】
　
段落【0008】
　
段落【0011】
　
段落【0012】、図1
　
段落【0080】
　
段落【0081】、図8
　
段落【0104】
　以上の記載において、
　「印加される電圧に応答して特定波長の可視光を選択的に反射する選択反射状態と可視光を透過する光透過状態とが切り替わる」点について、ここで用いられているコレステリック液晶が電界強度に応じて状態を変化させているのは明らかなのであるから、「印加される電圧に応答」することは、印加される電界強度に応じて変化することに等しい。また、「電圧パルス印加」により「光を透過する状態」と「選択反射状態」になり、これらの状態は「双安定を示す」のであるから、刊行物1に記載の発明も一種の記憶媒体である。さらに、段落【0080】の記載から、前記媒体は、黒色表示もできることは明らかである。
　したがって、刊行物1には、
　「透明基体の間に、コレステリック液晶を高分子体中に分散してなる液晶-高分子複合膜を用いた赤色表示デバイス、緑色表示デバイスおよび青色表示デバイスを順次積層させ、低電圧パルス印加によりフォーカル・コニック状態に、高電圧パルス印加によりプレーナ配列になり、印加される電界強度に応じて特定波長の可視光を選択的に反射する選択反射状態と可視光を透過する光透過状態とを切り替え、赤色、緑色、青色の各表示デバイスを全て選択反射状態にした場合に白色となるように設定した、白黒表示を行うことのできる表示記憶媒体、画像書き込み方法および画像書き込み装置、および、左旋性のカイラルネマティック液晶を用いた表示デバイスと、右旋性のカイラルネマティック液晶を用いた表示デバイスとを重ね合わせたものを一つの表示デバイスとした前記表示記憶媒体、画像書き込み方法および画像書き込み装置」なる発明(以下、「引用発明」という。)が記載されていると認められる。
　
刊行物2:特開平7-287214号公報(甲第1号証)
　
段落【0009】、図12
　
段落【0013】
　
段落【0024】
　
段落【0028】、図2
　
段落【0072】
　また、図2(a)〜(e)、図10から明らかなように、透明電極4と電源6は、積層したPDCLC層11、12の外部にある。
　以上の記載にから、刊行物2には、
　右旋性PDCLC層と左旋性PDCLC層をそれぞれ複数層積層、または、PDCLC層を二層を越えて積層したものを、透明電極を形成した一組のフレキシブルなシート状のフィルムの基板の間に挟み込んだ表示・記録媒体に、前記媒体に電源から電界を印加するものであって、前記透明電極と電源は積層したPDCLC層の外部にあるものが記載されていると認められる。
　
刊行物3:特開平2-84616号公報(甲第4号証)
　
2頁右下欄7〜10行
　
3頁右上欄15〜17行
　
3頁左下欄18行〜右上欄1行
　以上の記載から、刊行物3には、
　コレステリック液晶の連続相中に高分子のネットワークが形成されたPNLC構造を用いた液晶デバイスが記載されているものと認められる。
　
刊行物4:特開平9-197381号公報(甲第6号証)
　
段落【0007】、図1
　
段落【0020】
　以上の記載から、刊行物4には、PDLC層に電圧を印加する構成として、電極の一方を共通電極としたものが記載されている。
　
刊行物5:特公平7-119920号公報(甲第5号証)
　
【特許請求の範囲】
・・・
【請求項6】請求項1または2または3の液晶光学素子と、それに電圧を印加する駆動手段とからなり、印加電圧により3以上の光の透過状態を得ることを特徴とする調光体。」
　
4欄45行〜5欄11行
　
先願の特許発明:特許第3147156号(甲第7号証) 
　
【特許請求の範囲】
【請求項2】請求項1の表示記憶媒体において、前記複数の表示層が、400〜500nmの波長域にピークを有する色光を選択反射する表示層、500〜600nmの波長域にピークを有する色光を選択反射する表示層、および600〜700nmの波長域にピークを有する色光を選択反射する表示層によって構成されたことを特徴とする表示記憶媒体。
【請求項3】請求項1または2の表示記憶媒体において、前記複数の表示層は、それぞれ、コレステリック液晶の連続相中に高分子のネットワークが形成されたPNLC構造であることを特徴とする表示記憶媒体。
【請求項4】請求項1または2の表示記憶媒体において、前記複数の表示層は、それぞれ、高分子マトリックス中にコレステリック液晶が分散されたPDLC構造であることを特徴とする表示記憶媒体。
【請求項5】請求項1〜4のいずれかの表示記憶媒体において、前記複数の表示層のそれぞれが、互いに同じ色光を選択反射し、かつ互いに螺旋ねじれ方向が逆のコレステリック液晶によって構成された2つの表示層からなることを特徴とする表示記憶媒体。
【請求項6】請求項1〜5のいずれかの表示記憶媒体において、前記一対の基板が、可とう性を有することを特徴とする表示記憶媒体。
【請求項7】請求項1〜6のいずれかの表示記憶媒体において、一方の基板側に共通電極が設けられたことを特徴とする表示記憶媒体。
【請求項8】請求項1〜7のいずれかの表示記憶媒体に画像を書き込む方法において、外部の画像書き込み装置から、前記積層された複数の表示層に、少なくとも、リフレッシュ期間およびセレクト期間と、その後の無電界の表示期間とによって構成され、そのリフレッシュ期間およびセレクト期間での電界強度ErおよびEsが、Er＞Esの関係をもって、前記複数の表示層のコレステリック液晶の相変化しきい電界強度を境界とする複数段階の電界強度から選定された電界強度となる書き込み信号を印加することを特徴とする画像書き込み方法。
【請求項9】請求項1〜7のいずれかの表示記憶媒体に画像を書き込む装置において、表示記憶媒体の外部から、前記積層された複数の表示層に、少なくとも、リフレッシュ期間およびセレクト期間と、その後の無電界の表示期間とによって構成され、そのリフレッシュ期間およびセレクト期間での電界強度ErおよびEsが、Er＞Esの関係をもって、前記複数の表示層のコレステリック液晶の相変化しきい電界強度を境界とする複数段階の電界強度から選定された電界強度となる書き込み信号を印加することを特徴とする画像書き込み装置。」
　
【5】判断
【5-1】理由2(記載に不備)について
　申立人は、各構成要件の相互の関係が不明確であること、複数の液晶層がどのようにして一対の基板間に保持されているのかが不明確であること、分割の基礎出願の実施例と本件の実施例が共通していることを記載不備の根拠として挙げている。
　しかし、請求項1〜9に記載された技術事項から、それらによって奏する「表示記憶媒体、画像書き込み方法および画像書き込み装置」としての作用は明確であり、発明1〜発明9の複数の構成の相互の関係は、対応する請求項の記載のとおりのものであると技術的に理解することができるので、不明確であるとはいえない。また、液晶の保持の態様は、発明1〜発明9の目的を達成する上で、必須の技術事項ではないので、発明1〜発明9の技術事項として特定する必要性は認められない。さらに、分割の基礎出願の実施例と本件の実施例が共通していても、それぞれの発明が同一ではなく、かつ、それらの発明が、共通する実施例からそれぞれ個別に把握できるのであるから、実施例が共通するとしても、本件の明細書の記載が不備であるとはいえない。
　以上のとおりであるから、本件の明細書に、申立人の主張する記載の不備はない。
　
【5-2】理由3(39条違反)について
　申立人は、発明1〜発明9と分割の基礎となる出願の特許発明とが区別がつかない、即ち同一であり、特許法第39条第1項に違反すると主張している。しかし、発明1〜発明9は、「プレーナー相とフォーカルコニック相の相変化のしきい電界強度のうちの最も大きい値Eth1と、前記複数の表示層の、それぞれのフオーカルコニック相とホメオトロピック相の相変化のしきい電界強度のうちの最も小さい値Eth2とが、Eth1＜Eth2の関係を有するように構成し、前記Eth1とEth2の間の電界強度をEa、前記複数の表示層の、それぞれのフォーカルコニック相とホメオトロピック相の相変化のしきい電界強度のうちの最も大きい値以上の電界強度をEbとした場合、前記電界強度Ea,Ebから選定された電界強度となる書き込み信号を前記表示記憶媒体に印加する」ことを共通する技術事項としているのに対して、分割の基礎となる特許出願の特許発明(「【4】刊行物等の記載
先願の特許発明:特許第3147156号(甲第7号証) 
【特許請求の範囲】
　
【5-3】理由1(29条違反)について
請求項1
　発明1と引用発明とを対比すると、引用発明における「透明基体」、「赤色表示デバイス、緑色表示デバイスおよび青色表示デバイスを順次積層」させたもの、「フォーカル・コニック状態」および「プレーナ配列」は、発明1の「少なくとも一方が透明の一対の基板」、「それぞれ可視光中の互いに異なる色光を選択反射するコレステリック液晶によって構成された複数の表示層」、「フォーカルコニック相」および「プレーナー相」に、それぞれ相当する。引用発明において「白黒表示」を行うことは、発明1において「全てプレーナー相の状態または全てフォーカルコニック相の状態のいずれかを選択的に呈する」ことに相当する。よって、発明1と引用発明とは、少なくとも一方が透明の一対の基板間に、それぞれ可視光中の互いに異なる色光を選択反射するコレステリック液晶によって構成された複数の表示層が積層され、前記積層された複数の表示層に電界が印加されることによって画像が書き込まれるとともに、前記電界の印加後の無電界下では複数の前記コレステリック液晶表示層が前記電界の電界強度に応じて全てプレーナー相の状態または全てフォーカルコニック相の状態のいずれかを選択的に呈するように前記複数の表示層が構成されたことを特徴とする表示記憶媒体である点で一致し、前者が、「複数の表示層の外部の画像書き込み装置」から電界を印加するのに対し、後者はそのようには記載されていない点(
相違点1
相違点2
　
相違点1
　しかし、
相違点2
　よって、発明1は、刊行物1〜刊行物5に記載された発明であるとも、また、それらに基づいて当業者が容易に発明できたものとも認められない。
　
請求項2〜請求項9
　発明2〜発明9は、発明を特定する技術事項として、発明1の前記
相違点2
　よって、既に説明した前記相違点2についての理由により、発明2〜発明9は、刊行物1〜刊行物5に記載された発明であるとも、また、それらに基づいて当業者が容易に発明できたものとも認められない。
　
　以上のとおり、発明1〜発明9は、特許法第29条第1項第3号に該当する発明ではなく、また、特許法第29条第2項の規定により特許を受けることができないものでもない。
　
【6】むすび
　以上のとおりであるから、特許異議申立の理由及び証拠方法によっては、本件の請求項1〜9に係る発明の特許を取り消すことはできない。
　また、他に本件の請求項1〜9に係る発明の特許を取り消すべき理由を発見しない。
　よって、結論のとおり決定する。
【異議決定日】
平成１４年１１月１４日（２００２．１１．１４）